【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】  無線通信システムにおいて、デジタル変調無線信号（２１１）を使用して、少なくとも１つのフレーム（２０９、３０１、３０２）で少なくとも１つのメッセージ（２１０、７０４）が第１ユニット（ＢＳ１）から第２ユニット（ＭＳ１）へ送信されるメッセージ送信トランザクション（３００）を実行する方法であって、
ａ）前記第１ユニット（ＢＳ１）と前記第２ユニット（ＭＳ１）間で交換される無線信号（２１１）の属性を測定する（５０１）ステップと、
ｂ）前記測定された無線信号属性に基づいて、前記メッセージ送信トランザクション中に前記第２ユニット（ＭＳ１）でのフレーム受信状態を前記第１ユニット（ＢＳ１）へ通知するモードを選択する（５０２）ステップと、
ｃ）前記選択された通知するモードに従って、前記第２ユニット（ＭＳ１）での前記フレーム受信状態を前記第１ユニット（ＢＳ１）へ通知しながら、前記第１ユニット（ＢＳ１）から前記第２ユニット（ＭＳ１）へ前記少なくとも１つのフレーム（２０９）で、前記少なくとも１つのメッセージ（２１０、７０４）を送信する（５０３）ステップとを備え、
前記ステップｂ）は、前記第２ユニット（ＭＳ１）による前記少なくとも１つのフレーム（２０９、３０１、３０２）の少なくとも１つの選択されたフレームの受信における前記フレーム受信状態を前記第１ユニット（ＢＳ１）へ通知することを選択することを含み、
かつ前記ステップｂ）は、前記測定された無線信号属性が第１無線通信状態であることを示す場合、前記第２ユニット（ＭＳ１）での前記フレーム受信状態を第１頻度で前記第１ユニット（ＢＳ１）へ通知し、かつ前記測定された無線信号属性が前記第１無線通信状態よりも良好である第２無線通信状態であることを示す場合、前記第２ユニット（ＭＳ１）での前記フレーム受信状態を前記第１頻度より少ない第２頻度で前記第１ユニット（ＢＳ１）へ通知することを選択することを含む
ことを特徴とする方法。
【請求項２】  前記ステップａ）及びｂ）は、前記第２ユニット（ＭＳ１）へ任意の少なくとも１つのフレームを送信する前に実行される
ことを特徴とする請求項１に記載の方法。
【請求項３】  前記第１ユニットは移動局（ＭＳ１）であり、前記第２ユニットは基地局（ＢＳ１）であり、前記ステップａ）は、前記基地局（ＢＳ１）から前記移動局（ＭＳ１）によって受信される無線信号属性を測定する構成からなる
ことを特徴とする請求項１又は２に記載の方法。
【請求項４】  無線通信システム（ＳＹＳ１）であって、
第１無線通信手段（２０１）を有する第１ユニット（ＢＳ１）と、
第２無線通信手段（２０２）を有する第２ユニット（ＭＳ１）と、
前記第１ユニット（ＢＳ１）と前記第２ユニット（ＭＳ１）間で交換される無線信号（２１１）の属性を測定する手段（８０３、８０４）と、
前記測定された無線信号属性に基づいて、前記第２無線通信手段（２０２）でのフレーム受信状態を前記第１無線通信手段（２０１）へ通知するモードを選択する選択手段（８０１）とを備え、
デジタル変調無線信号（２１１）を使用して、少なくとも１つのフレーム（２０９、３０１、３０２）で少なくとも１つのメッセージ（２１０、７０４）が前記第１ユニット（ＢＳ１）の前記第１無線通信手段（２０１）から前記第２ユニット（ＭＳ１）の前記第２無線通信手段（２０２）へ送信されるメッセージ送信トランザクション（３００）を実行するように、該第１無線通信手段（２０１）及び該第２無線通信手段（２０２）は設計されており、かつ前記選択された前記第２無線通信手段（２０２）での前記フレーム受信状態を前記第１無線通信手段（２０１）へ通知するモードを使用して、前記メッセージ送信トランザクション（３００）を実行するように、前記第１無線通信手段（２０１）及び前記第２無線通信手段（２０２）は設計され、
前記選択手段（８０１）は、前記第２通信手段（２０２）による前記少なくとも１つのフレーム（２０９、３０１、３０２）の少なくとも１つの選択されたフレームの受信における該第２無線通信手段（２０２）での前記フレーム受信状態を前記第１ユニット（ＢＳ１）へ通知される通知するモードを選択するように設計され、
かつ前記選択手段（８０１）は、前記測定された無線信号属性が第１無線通信状態であることを示す場合、前記第２無線通信手段（２０２）での前記フレーム受信状態を第１頻度で前記第１無線通信手段（２０１）へ通知し、かつ前記測定された無線信号属性が前記第１無線通信状態よりも良好である第２無線通信状態であることを示す場合、前記第２無線通信手段（２０２）での前記フレーム受信状態を前記第１頻度より少ない第２頻度で前記第１無線手段（２０１）へ通知することを選択するように設計されている
ことを特徴とする無線通信システム。
【請求項５】  前記選択手段（８０１）は、前記第２無線通信手段（２０２）へ任意の少なくとも１つのフレーム（２０９、３０１、３０２）を送信する前に前記通知するモードを選択するように設計されている
ことを特徴とする請求項４に記載の無線通信システム（ＳＹＳ１）。
【請求項６】  前記第１ユニットは移動局（ＭＳ１）であり、前記第２ユニットは基地局（ＢＳ１）であり、前記測定手段（８０４）は前記移動局（ＭＳ１）に搭載され、かつ前記基地局（ＢＳ１）から前記移動局（ＭＳ１）によって受信される無線信号（２１１）の属性を測定するように設計されている
ことを特徴とする請求項４又は５に記載の無線通信システム（ＳＹＳ１）。
【請求項７】  無線通信システムの第１ユニットにおいて、デジタル変調無線信号を使用して、少なくとも１つのフレームで少なくとも１つのメッセージが前記第１ユニットから第２ユニットへ送信されるメッセージ送信トランザクションを実行する方法であって、
前記第１ユニットと前記第２ユニット間で交換される無線信号の属性を測定する測定ステップと、
前記測定された無線信号属性に基づいて、前記メッセージ送信トランザクション中に前記第２ユニットでのフレーム受信状態を前記第１ユニットへ通知するモードを選択する選択ステップと、
前記第１ユニットから前記第２ユニットへ前記少なくとも１つのフレームで、前記少なくとも１つのメッセージを送信する送信ステップと、
前記選択された通知するモードに従って、前記第２ユニットから該第２ユニットでの前記フレーム受信状態の情報を受信する受信ステップとを備え、
前記選択ステップは、前記第２ユニットによる前記少なくとも１つのフレームの少なくとも１つの選択されたフレームの受信における前記フレーム受信状態を前記第１ユニットへ通知することを選択することを含み、
かつ前記選択ステップは、前記測定された無線信号属性が第１無線通信状態であることを示す場合、前記第２ユニットでの前記フレーム受信状態を第１頻度で前記第１ユニットへ通知し、かつ前記測定された無線信号属性が前記第１無線通信状態よりも良好である第２無線通信状態であることを示す場合、前記第２ユニットでの前記フレーム受信状態を前記第１頻度より少ない第２頻度で前記第１ユニットへ通知することを選択することを含む
ことを特徴とする方法。
【請求項８】  無線通信システムの第２ユニットにおいて、デジタル変調無線信号を使用して、少なくとも１つのフレームで少なくとも１つのメッセージが前記第１ユニットから第２ユニットへ送信されるメッセージ送信トランザクションを実行する方法であって、
前記第１ユニットから前記少なくとも１つのフレームを受信する受信ステップと、
前記第１ユニットと前記第２ユニット間で交換される測定された無線信号の属性に基づいて選択された通知するモードに従って、前記メッセージ送信トランザクション中に、前記第２ユニットでのフレーム受信状態を前記第１ユニットへ通知する通知ステップとを備え、
前記選択された通知するモードに従って、前記第１ユニットには、前記第２ユニットによる前記少なくとも１つのフレームの少なくとも１つの選択されたフレームの受信における前記フレーム受信状態が通知され、
かつ前記第１ユニットには、前記測定された無線信号属性が第１無線通信状態であることを示す場合、前記第２ユニットでの前記フレーム受信状態が第１頻度で通知され、かつ前記測定された無線信号属性が前記第１無線通信状態よりも良好である第２無線通信状態であることを示す場合、前記第２ユニットでの前記フレーム受信状態が前記第１頻度より少ない第２頻度で通知される
ことを特徴とする方法。
【請求項９】  前記第１ユニットは基地局であり、前記第２ユニットは移動局である
ことを特徴とする請求項７又は８に記載の方法。
【請求項１０】  前記第１ユニットは移動局であり、前記第２ユニットは基地局である
ことを特徴とする請求項７又は８に記載の方法。
【請求項１１】  デジタル変調無線信号を使用して、少なくとも１つのフレームで少なくとも１つのメッセージが第１ユニットから第２ユニットへ送信されるメッセージ送信トランザクションを実行する、無線通信システムにおける前記第１ユニットとして機能するユニットであって、
前記第１ユニットと前記第２ユニット間で交換される無線信号の属性を測定する測定手段と、
前記測定された無線信号属性に基づいて、前記メッセージ送信トランザクション中に前記第２ユニットでのフレーム受信状態を前記第１ユニットへ通知するモードを選択する選択手段と、
前記第１ユニットから前記第２ユニットへ前記少なくとも１つのフレームで、前記少なくとも１つのメッセージを送信する送信手段と、
前記選択された通知するモードに従って、前記第２ユニットから前記フレーム受信状態の情報を受信する受信手段とを備え、
前記選択手段は、前記第２ユニットによる前記少なくとも１つのフレームの少なくとも１つの選択されたフレームの受信における前記フレーム受信状態を前記第１ユニットへ通知することを選択することを含み、
かつ前記選択手段は、前記測定された無線信号属性が第１無線通信状態であることを示す場合、前記第２ユニットでの前記フレーム受信状態を第１頻度で前記第１ユニットへ通知し、かつ前記測定された無線信号属性が前記第１無線通信状態よりも良好である第２無線通信状態であることを示す場合、前記第２ユニットでの前記フレーム受信状態を前記第１頻度より少ない第２頻度で前記第１ユニットへ通知することを選択することを含む
ことを特徴とするユニット。
【請求項１２】  デジタル変調無線信号を使用して、少なくとも１つのフレームで少なくとも１つのメッセージが第１ユニットから第２ユニットへ送信されるメッセージ送信トランザクションを実行する、無線通信システムにおける前記第２ユニットとして機能するユニットであって、
前記第１ユニットから前記少なくとも１つのフレームを受信する受信手段と、
前記第１ユニットと前記第２ユニット間で交換される測定された無線信号の属性に基づいて選択された通知するモードに従って、前記メッセージ送信トランザクション中に、前記第２ユニットでのフレーム受信状態を前記第１ユニットへ通知する通知手段とを備え、
前記選択された通知するモードに従って、前記第１ユニットには、前記第２ユニットによる前記少なくとも１つのフレームの少なくとも１つの選択されたフレームの受信における前記フレーム受信状態が通知され、
かつ前記第１ユニットには、前記測定された無線信号属性が第１無線通信状態であることを示す場合、前記第２ユニットでの前記フレーム受信状態が第１頻度で通知され、かつ前記測定された無線信号属性が前記第１無線通信状態よりも良好である第２無線通信状態であることを示す場合、前記第２ユニットでの前記フレーム受信状態が前記第１頻度より少ない第２頻度で通知される
ことを特徴とするユニット。
【請求項１３】  前記第１ユニットは基地局であり、前記第２ユニットは移動局である
ことを特徴とする請求項１１又は１２に記載のユニット。
【請求項１４】  前記第１ユニットは移動局であり、前記第２ユニットは基地局である
ことを特徴とする請求項１１又は１２に記載のユニット。